(57)【要約】      （修正有）【課題】  従来の発電装置は、水素などの燃料又は、回転運動や光などの外部入力を利用して発電しているので、燃料や外部入力が得られない場合は使用する事が出来ない。【解決手段】  永久板状平面磁極磁石Ａ５を鉄枠に貼り付けたものを、偶数個極性を交互に貼り付けた円筒Ａ３を、垂直方向に平行で、かつ平面的に４角形に成る様間を開けて４筒並べ、歯車により同期回転する様にし、対向する円筒に取り付けた永久磁石の反発力及び吸着力と、円筒間中央部に設置した磁性体に対する吸着力及び磁気シールド効果を利用し回転運動に置き換え、更に永久磁石が回転する事に拠る電磁誘導作用によって発生する電流を利用した発電装置。【選択図】図１
2008017685.tif 000002
【特許請求の範囲】
【請求項１】
永久板状平面磁極磁石を鉄枠に貼り付けたものを、偶数個極性を交互に貼り付けた円筒を、垂直方向に平行で、かつ平面的に４角形に成る様間を開けて４筒並べ、歯車により同期回転する様にし、対向する円筒に取り付けた永久磁石の反発力及び吸着力と、円筒間中央部に設置した磁性体に対する吸着力及び磁気シールド効果を利用し回転運動に置き換え、更に永久磁石が回転する事に拠る電磁誘導作用によって発生する電流を利用した発電装置。
【請求項２】
請求項１によって、移動可能な発電装置。
【請求項３】
請求項１の円筒自体を、円筒外周面多極磁石とし、小型化した場合の代替電池とも呼べる装置。
【発明の詳細な説明】
【技術分野】
【０００１】  本発明は、磁力を回転力に変え、更に電力に変換する電気の出力に関する。
【背景技術】
【０００２】  従来の発電装置は、石油、ガス、アルコール、水素などの燃料又は、回転運動や光などの外部入力を利用して発電している。【０００３】  従来の小型発電装置の動力源として、発動機を使用した物が多い。
【発明の開示】
【発明が解決しようとする課題】
【０００４】  以上に述べた従来の発電装置では、燃料や外部入力が得られない場合は使用する事が出来ない。【０００５】  又、動力源として、騒音を発する物や、危険な燃料を使用する物及び、有害物質を排出する物や、装置自体の規模が大きすぎる物などの諸問題を、永久磁石を使用する事によって解決しようとする物であり、エネルギー問題及び環境問題を解決する事を課題とする。
【課題を解決するための手段】
【０００６】  以上の課題を解決するために、第一発明は、永久板状平面磁極磁石を鉄枠に貼り付けたものを、偶数個極性を交互に貼り付けた円筒を、垂直方向に平行で、かつ平面的に４角形に成る様間を開けて４筒並べ、歯車により同期回転する様にし、対向する円筒に取り付けた永久磁石の反発力及び吸着力と、円筒間中央部に設置した磁性体に対する吸着力及び磁気シールド効果を利用し回転運動に置き換え、更に永久磁石が回転する事に拠る電磁誘導作用によって発生する電流を利用した発電装置。
また、第二発明は、上記第二発明により移動可能な発電装置である。
また、第三発明は、  請求項１の円筒自体を、円筒外周面多極磁石とし、小型化した場合の代替電池とも呼べる装置。
【発明の効果】
【０００７】  外部入力の得られない場所で、電力を供給できる。【０００８】  他の動力源及び、危険な燃料を必要としないので、有害物質や廃棄物が発生せず、密閉された場所でも、電力を供給できる。【０００９】  磁石による回転運動だけを利用するので騒音が発生しにくく、身近な場所に設置して、電力を供給する事が出来る。【００１０】  配線や配管等といった接続物が必要ないので、何処ででも自由に電力を供給する事が出来る。【００１１】  装置の規模が、極小さい物から大規模な物まで作ることが出来るので、携帯できる物から自動車や建設機械の動力源などの幅広い用途に使用できる。
【発明を実施するための最良の形態】
【００１２】  以下、本発明の実施の形態を図１〜図３に基づいて説明する。【００１３】  図１は、装置全体の概念図である。両端をＡ１ベアリングで固定されたＡ２シャフトに、各シャフトの回転を同期するギヤＡ４と、円筒Ａ３が固定されており、この円筒Ａ３に永久磁石Ａ５が取り付けられている。このシャフト４本が等間隔で並び、ギヤＡ４によって、同期回転する。各円筒に取り付けられた永久平面磁極磁石は、必ず偶数個とし極性をＮ極とＳ極を交互に外周面に向けて並べてあり、それぞれＡとＢ及びＣとＤには及引力が働くように並べ、ＡとＤ及びＢとＣには反発力が働くように配置する。４本の円筒の間には、磁性体Ｅ１が配置され、Ｅ１に固定された制御棒Ｅ２によって、基盤であるＨ１及びＨ２に上下を固定されたＥ３及びＥ４に沿って上下に移動できるものとする。またＥ１にはコイルＥ５を取付け、起電力を取るものとする。Ｆ１は鉄心で、Ｆ３及びＦ４によりＨ１及びＨ２に回転する磁石（Ａ５、Ｂ５、Ｃ５、Ｄ５）に接触しない形で固定されている。Ｆ２はコイルで、Ｆ１に起こる磁束によって誘発する起電力によって発電することができる。【００１４】  図２、平面概念図の説明。
回転しようとする力１。場１及び場３において、円筒に取り付けられた磁石の磁力、Ｎ極とＳ極により吸着力が働く。
回転しようとする力２。場１及び場３において、円筒に取り付けられた磁石の磁力により、磁性体Ｅに対し、吸着力が働く。但し、回転を止めようとする力１、場６及び場７において、円筒に取り付けられた磁石の磁力により、磁性体Ｅに対し、吸着力が働く力と相殺される
回転しようとする力３。場２及び場４において、円筒に取り付けられた磁石の磁力、Ｎ極とＮ極、及び磁性体Ｅが、磁石の回転運動により磁化された事により反発力が働く。但し、磁性体Ｅが、磁石の回転運動により磁化された磁力は、磁性体Ｅが近接する磁石の極と反対の極に磁化する事で、ヒステリシス小環線（マイナーループ）を作るので、磁化は最小限に抑えられると考えられる。
回転を止めようとする力１。場６及び場７において、円筒に取り付けられた磁石の磁力、同極同士が出会う事による反発力が働く。しかし、回転しようとする力１で説明した、場１及び場３において、円筒に取り付けられた磁石の磁力、同極同士に吸引力と相殺される。
回転を止めようとする力２。場６及び場７において、円筒に取り付けられた磁石の磁力により、磁性体Ｅに対し、吸着力が働く。しかし、回転しようとする力２、場１及び場３において、円筒に取り付けられた磁石の磁力により、磁性体Ｅに対し、吸着力が働く力と相殺される。
回転を止めようとする力３。Ｅ１に働く磁気作用により磁気摩擦が起こり、回転力が熱エネルギーに変換されて制動力が発生してしまう。その為大型の装置及び磁力の強い磁石を使用した場合には、大きな発熱を伴いキュリー温度に近づくにしたがって磁性を失う傾向にあるので、冷却機能が必要となる。但し、Ｅ１のΣ型の部分は、対向する両極の磁力が同じなのでヒステリシスブレーキ程の抵抗は無いものとなる。
回転しようとする力１〜３と、回転を止めようとする力１〜３を合計しても、回転しようとする力の方が勝る。よって円筒は磁石の力だけで回転を続ける事が出来る。
それによって、Ｆ及びＧに対して電磁誘導作用が働き発電することができる。【００１５】  図３は、磁性体Ｅの断面図（図２、ａ１〜ａ２）である。
磁性体Ｅと、回転体に取り付けられた磁石の、同極同士が対向する面の形状であり、［００１４］において、回転を止めようとする力１〜２での力を弱める為に必要な形状であり、同極同士の回転体の中心線より、円筒中心より外側へΣ型に伸びた形状になっている。この事により、回転を止めようとする力１の、磁性体Ｅが、磁石の回転運動により磁化された事による同極同士による反発力を、回転体同士の中心線より本体中心より外側へ移動する事ができ、磁石との距離を取ることとし、クローンの法則により、磁石と磁性体の距離が開けばその間に働く磁力作用は弱くなる事を利用して、同地点において同極同士の反発力を弱める効果がある。
同時に同地点から外側は、上下の中心から外側へ広がるように切り取られている事により、回転を止めようとする力２の、場６及び場７において、円筒に取り付けられた磁石の同極同士が出会う事による反発力が働く力を、回転を止めようとする力２の、場６及び場７において、円筒に取り付けられた磁石の磁力により、磁性体Ｅに対し、吸着力が働く力と相殺して弱める効果がある。
【図面の簡単な説明】
【００１７】
【図１】  本発明の実施形態を説明するための概念図
【図２】  本発明の実施形態を概念的に説明するための平面図
【図３】  磁性体Ｅの断面図
【符号の説明】
【００１８】  Ａ１    ベアリング
Ａ２    シャフト（非磁性体）
Ａ３    円筒（非磁性体）
Ａ４    ギア
Ａ５    永久板状平面磁極磁石
Ｂ      回転体（数字は省略）
Ｃ      回転体（数字は省略）
Ｄ      回転体（数字は省略）
Ｅ１    磁気シールド体（強磁性体）
Ｅ２    制御棒（非磁性体）
Ｅ３    ガイド棒（非磁性体）
Ｅ４    ガイド棒（非磁性体）
Ｆ５    コイル
Ｆ１    鉄心
Ｆ２    コイル
Ｆ３    支柱（非磁性体）
Ｆ４    支柱（非磁性体）
Ｇ      起電部
Ｈ      基盤（上部省略、磁性体）
Ｉ      外面カバー（図面上省略、磁性体）
【図１】
2008017685.tif 000003
【図２】
2008017685.tif 000004
【図３】
2008017685.tif 000005
【手続補正書】
【提出日】平成18年10月2日(2006.10.2)
【手続補正１】
【補正対象書類名】特許請求の範囲
【補正対象項目名】請求項１
【補正方法】変更
【補正の内容】
【請求項１】
永久板状平面磁極磁石を鉄枠に貼り付けたものを、偶数個極性を交互に貼り付けた円筒を、垂直方向に平行で、かつ平面的に４角形に成る様間を開けて４筒並べ、歯車により同期回転する様にし、対向する円筒に取り付けた永久磁石の反発力及び吸着力と、円筒間中央部に設置した磁性体に対する吸着力及び磁気シールド効果を利用し回転運動に置き換えた動力装置。
【手続補正２】
【補正対象書類名】特許請求の範囲
【補正対象項目名】請求項２
【補正方法】変更
【補正の内容】
【請求項２】
請求項１によって、永久磁石が回転する事に拠る電磁誘導作用によって発生する電流を利用した移動可能な発電装置。
【手続補正４】
【補正対象書類名】明細書
【補正対象項目名】０００１
【補正方法】変更
【補正の内容】
【０００１】  本発明は、磁力を回転力に変え、更に電力に変換する動力及び電気の出力に関する。
【手続補正５】
【補正対象書類名】明細書
【補正対象項目名】０００２
【補正方法】変更
【補正の内容】
【０００２】  従来の発電装置は、石油、ガス、アルコール、水素などの燃料又は、回転運動や光などの外部入力を用い、動力とするか発電している。
【手続補正６】
【補正対象書類名】明細書
【補正対象項目名】０００４
【補正方法】変更
【補正の内容】
【０００４】  以上に述べた従来の動力発生装置または発電装置では、燃料や外部入力が得られない場合は使用する事が出来ない。
【手続補正７】
【補正対象書類名】明細書
【補正対象項目名】０００６
【補正方法】変更
【補正の内容】
【０００６】  以上の課題を解決するために、第一発明は、永久板状平面磁極磁石を鉄枠に貼り付けたものを、偶数個極性を交互に貼り付けた円筒を、垂直方向に平行で、かつ平面的に４角形に成る様間を開けて４筒並べ、歯車により同期回転する様にし、対向する円筒に取り付けた永久磁石の反発力及び吸着力と、円筒間中央部に設置した磁性体に対する吸着力及び磁気シールド効果を利用し回転運動に置き換えた動力装置。
また、第二発明は、上記第一発明により永久磁石が回転する事に拠る電磁誘導作用によって発生する電流を利用した移動可能な発電装置。
また、第三発明は、  請求項１の円筒自体を、円筒外周面多極磁石とし、小型化した場合の代替電池とも呼べる装置である。
【手続補正８】
【補正対象書類名】明細書
【補正対象項目名】０００７
【補正方法】変更
【補正の内容】
【０００７】  外部入力の得られない場所で、動力及び電力を供給できる。
【手続補正９】
【補正対象書類名】明細書
【補正対象項目名】０００８
【補正方法】変更
【補正の内容】
【０００８】  他の動力源及び、危険な燃料を必要としないので、有害物質や廃棄物が発生せず、密閉された場所でも、動力及び電力を供給できる。
【手続補正１０】
【補正対象書類名】明細書
【補正対象項目名】０００９
【補正方法】変更
【補正の内容】
【０００９】  磁石による回転運動だけを利用するので騒音が発生しにくく、身近な場所に設置して、動力及び電力を供給する事が出来る。
【手続補正１１】
【補正対象書類名】明細書
【補正対象項目名】００１０
【補正方法】変更
【補正の内容】
【００１０】  配線や配管等といった接続物が必要ないので、何処ででも自由に動力及び電力を供給する事が出来る。